(57)【要約】【課題】手間を掛けることなく飛翔性害虫駆除装置から発生される泡の量が多くても当該泡が容器からはみ出すのを防止できる消泡装置を提供すること。【解決手段】飛翔性害虫駆除装置に用いられる消泡装置であって、筒形状とされパイプ７１の下方部分の周囲を取り囲むようにかつ下部が容器１１内の泡発生用液体Ｑ中に浸漬するように配設された消泡用筒体３０を有し、この消泡用筒体内面３１の一部または全体が開口面積が下方へ行くに連れて連続的に減少する傾斜面状に形成されるとともに、当該消泡用筒体内面３１が滑らかに形成され、容器１１内の泡発生用液体Ｑを吸い上げ当該液体Ｑを消泡用筒体内面３１の上部に当該内面３１を伝って流下するように供給する液体供給手段４０を設け、消泡用筒体内面３１に泡（ＢＬ）の塊と接触する膜状の液体Ｑの流れを形成可能に構成する。【選択図】      図１
2004159533.tif 000002
【特許請求の範囲】
【請求項１】
上部が開口された容器と、下部が当該容器内の泡発生用液体中に浸漬されたパイプと、このパイプ内で泡を大量発生させて当該泡をパイプ上部に形成された泡流出口から外部へ流出可能な泡発生手段とを備え、当該パイプを覆う泡の塊を形成可能な飛翔性害虫駆除装置に用いられる消泡装置であって、
筒形状とされ前記パイプの下方部分の周囲を取り囲むようにかつ下部が前記容器内の泡発生用液体中に浸漬するように配設された消泡用筒体を有し、この消泡用筒体の内面の一部または全体が開口面積が下方へ行くに連れて連続的に減少する傾斜面状に形成されるとともに、当該消泡用筒体の内面が滑らかに形成され、前記容器内の泡発生用液体を吸い上げ当該液体を消泡用筒体の内面の上部に当該内面を伝って流下するように供給する液体供給手段を設け、消泡用筒体の内面に前記泡の塊と接触する膜状の液体の流れを形成可能に構成された飛翔性害虫駆除装置用の消泡装置。
【請求項２】
前記液体供給手段が、環状の液体通し路を有し当該液体通し路の内側端部が消泡用筒体の上縁部に接続されるとともに外側端部に起立壁が設けられた液体ガイド部と、この液体ガイド部の液体通し路に前記容器内から吸い上げた泡発生用液体を当該通し路に沿って流れるように供給する液体供給部とから形成された請求項１記載の飛翔性害虫駆除装置用の消泡装置。
【請求項３】
前記消泡用筒体と前記液体供給手段の液体ガイド部とが、前記飛翔性害虫駆除装置の容器と一体的に形成された請求項２項記載の飛翔性害虫駆除装置用の消泡装置。
【発明の詳細な説明】
【０００１】
【発明の属する技術分野】
本発明は、泡を利用してハエやアブ等の飛翔性害虫を駆除可能な飛翔性害虫駆除装置に用いられる消泡装置に関する。
【０００２】
【従来の技術】
本特許出願に係る発明者は、泡を利用してハエやアブ等の飛翔性害虫を駆除する飛翔性害虫駆除装置を開発した（特願２０００−０３５９２４）。
【０００３】
かかる飛翔性害虫駆除装置は、図８に示すように、上部１２が開口された容器１１と、下部（底面）７３が当該容器１１内の泡発生用液体Ｑ中に浸漬されたパイプ７１と、このパイプ７１内で泡（ＢＬ）を大量発生させて当該泡（ＢＬ）をパイプ７１上部に形成された泡流出口７５から外部へ流出可能な泡発生手段２０とを備え、当該パイプ７１を覆う泡（ＢＬ）の塊を形成可能に構成されている。
【０００４】
上記装置によれば、飛翔性害虫はパイプ７１に保持された泡（ＢＬ）に寄ってきて容器１１内で自滅してしまうので、安全で手間が掛からない。そして、死んだ飛翔性害虫は全て容器１１内に入っているので、容器１１ごと処理場に持っていって廃棄処分等すればよく、後始末も簡単にかつ衛生的に行える。
【０００５】
【発明が解決しようとする課題】
ところで、上記飛翔性害虫駆除装置においては、通常の使用では泡（ＢＬ）はパイプ７１によって保持されるので、容器１１の外へはみ出して周囲を汚すことはないものの、例えば飛翔性害虫を一段と効果的に駆除するために、泡（ＢＬ）をより多く発生させたような場合には、当該泡（ＢＬ）が容器１１からはみ出すおそれがある。
【０００６】
かかる不具合の発生を未然に防止するには、人が上記した飛翔性害虫駆除装置を適時見にいって泡（ＢＬ）の出具合を観察し、当該観察結果に基き泡発生手段２０を駆動操作する必要があるが、煩雑であるとの指摘がある。
【０００７】
本発明の目的は、手間を掛けることなく飛翔性害虫駆除装置から発生される泡の量が多くても当該泡が容器からはみ出すのを防止できる消泡装置を提供することにある。
【０００８】
【課題を解決するための手段】
請求項１の発明は、上部が開口された容器と、下部が当該容器内の泡発生用液体中に浸漬されたパイプと、このパイプ内で泡を大量発生させて当該泡をパイプ上部に形成された泡流出口から外部へ流出可能な泡発生手段とを備え、当該パイプを覆う泡の塊を形成可能な飛翔性害虫駆除装置に用いられる消泡装置であって、筒形状とされ前記パイプの下方部分の周囲を取り囲むようにかつ下部が前記容器内の泡発生用液体中に浸漬するように配設された消泡用筒体を有し、この消泡用筒体の内面の一部または全体が開口面積が下方へ行くに連れて連続的に減少する傾斜面状に形成されるとともに、当該消泡用筒体の内面が滑らかに形成され、前記容器内の泡発生用液体を吸い上げ当該液体を消泡用筒体の内面の上部に当該内面を伝って流下するように供給する液体供給手段を設け、消泡用筒体の内面に前記泡の塊と接触する膜状の液体の流れを形成可能に構成されたものである。
【０００９】
上記請求項１の発明の場合、液体供給手段から消泡用筒体の内面の上部に供給された泡発生用液体は、当該内面を伝って下方へ流れる。この際、泡発生用液体は、上記筒体の内面上をゆっくりと静かに流れることになるが、当該内面の傾斜面状部分で更に減速されることになる。したがって、消泡用筒体の内面を伝って流下してきた泡発生用液体は、容器内に泡立つことなく静かに入ることになる。
【００１０】
こうして、新に泡を発生させることなく、消泡用筒体の内面に膜状の液体の流れが形成され、当該液体の流れは上記パイプに保持された泡の塊と接触することになる。この液体の流れと接触した泡部分は、下方へ引っ張られて小さな塊に分断されるとともに当該液体の流れの持つ運動エネルギによって壊されて（すなわち消泡されて）液体に戻る。したがって、手間を掛けることなく飛翔性害虫駆除装置のパイプに保持される泡の量が多くても、当該泡が容器からはみ出すのを防止できる。
【００１１】
請求項２の発明は、前記液体供給手段が、環状の液体通し路を有し当該液体通し路の内側端部が消泡用筒体の上縁部に接続されるとともに外側端部に起立壁が設けられた液体ガイド部と、この液体ガイド部の液体通し路に前記容器内から吸い上げた泡発生用液体を当該通し路に沿って流れるように供給する液体供給部とから形成されたものである。
【００１２】
上記請求項２の発明の場合、液体ガイド部の液体通し路に供給された泡発生用液体は、遠心力の作用によって当該通し路に沿って流れる。そして、液体通し路上の液体は、遠心力の作用が弱まった部分から当該通し路上から外れて消泡用筒体の内面へ入り込み当該内面を伝って下方へ流れる。かかる液体の消泡用筒体内面への入り込みは当該内面上部の全域で発生する。
【００１３】
したがって、簡単な構成で消泡用筒体の内面に膜状の液体の流れが確実に形成されることになり、手間を掛けることなく飛翔性害虫駆除装置のパイプに保持される泡の量が多くなっても当該泡が容器からはみ出すのを一層効果的に防止できる。
【００１４】
請求項３の発明は、前記消泡用筒体と前記液体供給手段の液体ガイド部とが、前記飛翔性害虫駆除装置の容器と一体的に形成されたものである。
【００１５】
上記請求項３の発明の場合、請求項２記載の発明の場合と同様な作用・効果を奏し得る他、構成を一段と簡素化できる。
【発明の実施の形態】
以下、本発明の実施の形態を図面を参照して説明する。
【００１６】
ここにおいて、図１は本発明の実施の形態を説明するための図、図２は本発明に係る消泡装置を飛翔性害虫駆除装置と一体的に設けた変形例を示す図、図３は本消泡装置がガイド球形部材を備えた飛翔性害虫駆除装置に適用された図、図４は本消泡装置の要部を説明するための図、図５は動作を説明するための図である。図６は液体供給手段の変形例（１）を説明するための図、図７は液体供給手段の変形例（２）を説明するための図である。
【００１７】
本発明に係る飛翔性害虫駆除装置用の消泡装置を詳細に説明する前提として、まず最初に飛翔性害虫駆除装置を説明する。ここで、駆除対象となる飛翔性害虫としては、ハエ，アブ，ブヨ，蚊，ゴキブリ，カナブン，カブト虫，カミキリ，スズメバチ，テントウ虫，コオロギ等がある。
【００１８】
飛翔性害虫駆除装置は、図１に示すように、上部１２が開口された容器１１と、下部７３が当該容器１１内の泡発生用液体Ｑ中に浸漬されたパイプ７１と、このパイプ７１内で泡（ＢＬ）を大量発生させて当該泡（ＢＬ）をパイプ７１上部に形成された泡流出口７５から外部へ流出可能な泡発生手段２０とを備えている。
【００１９】
具体的には、容器１１は、上部１２が全面的に開口されており、泡発生用液体Ｑを収容して保持可能に形成されている。この実施形態では、容器１１は、大型のポリバケツから形成されている。また、泡発生用液体Ｑとして洗剤入りの水を使用している。なお、生用液体Ｑに香料を混ぜれば、心地よい臭いを発することができ、飛翔性害虫駆除装置は芳香発生装置としても機能することになる。次に、パイプ７１は、合成樹脂製とされており、その下部（底部）７３が開口されているとともに上部７２はキャップ９１で閉塞されている。パイプ７１の上部７２の外周面およびキャップ９１には、複数個の孔７５が貫通穿設されている。これら孔７５によって泡流出口が形成されている。泡発生手段２１は、エアストーン２６と、このエアストーン２６にエアを送り込むエアポンプ２７とから形成されている。
【００２０】
上記構成の飛翔性害虫駆除装置では、エアポンプ２７を駆動してエアストーン２６に空気を供給すると、パイプ７１の内部で泡（ＢＬ）が発生する。そして、この泡（ＢＬ）は、パイプ７１内を上昇して泡流出口（７５）から外部へ流出し、パイプ７１の外周面およびキャップ９１にまとわりつく。すなわち、泡（ＢＬ）ＢＬはパイプ７１に保持される。
【００２１】
こうして発生された大量の泡（ＢＬ）は、ハエやアブ等の飛翔性害虫の目を引きつける。ここで、ハエ等が大量の泡（ＢＬ）を塊と思って止まろうとすると、勢い余って泡（ＢＬ）の中に飛び込んでしまう。すると、ハエ等は、羽根が濡れてしまい思うように飛ぶことができず窒息死してしまう。このように、上記飛翔性害虫駆除装置を使用すれば、飛翔性害虫を手間を掛けずに安全に駆除できる。
【００２２】
次に、本発明に係る消泡装置について詳細に説明する。
【００２３】
本発明に係る飛翔性害虫駆除装置用の消泡装置は、図１に示すように、消泡用筒体３０と、この消泡用筒体３０の内面３１の上部に泡形成用液体Ｑを供給する液体供給手段４０とを備え、当該消泡用筒体内面３１に膜状の液体Ｑの流れを形成可能に構成されている。
【００２４】
消泡用筒体３０は、筒形状とされており、飛翔性害虫駆除装置のパイプ７１の下方部分の周囲を取り囲むようにかつ下部が飛翔性害虫駆除装置の容器１１内の泡発生用液体Ｑ中に浸漬するように配設されている。より具体的には、消泡用筒体３０は、内面３１が滑らかに形成されている。この筒体３０の内面３１の一部または全体が開口面積が下方へ行くに連れて連続的に減少する傾斜面状に形成されている。この実施形態では、消泡用筒体３０は、開口面積が下方へ行くに連れて連続的に減少しかつ底面が開口されたポリバケツから形成されている。
【００２５】
次に、液体供給手段４０は、飛翔性害虫駆除装置の容器１１内の泡発生用液体Ｑを吸い上げ当該液体Ｑを消泡用筒体内面３１の上部に当該内面３１を伝って流下するように供給する手段である。
【００２６】
具体的には、液体供給手段４０は、環状の液体通し路４２を有し当該液体通し路４２の内側端部４３が消泡用筒体３０の上縁部に接続されるとともに外側端部４４に起立壁が設けられた液体ガイド部４１と、この液体ガイド部４１の液体通し路４２に飛翔性害虫駆除装置の容器１１内から吸い上げた泡発生用液体Ｑを供給する液体供給部４５とから形成されている。
【００２７】
この実施形態では、液体ガイド部４１の液体通し路４２は、上記した消泡用筒体（ポリバケツ）３０の上端部に形成された縁部から形成されている。また、液体ガイド部４１の外側端部４４に設けられる起立壁は、上記筒体３０を完全収容しかつその内面が当該筒体３０の縁部と密着する飛翔性害虫駆除装置の容器（大型のポリバケツ）１１から形成されている。
【００２８】
また、液体供給部４５は、下端部が上記容器１１内の泡発生用液体Ｑ中に浸漬されかつ上端部が液体ガイド部４１の液体通し路４２に当該液体Ｑを流出可能に配置された液供給管４６と、この液供給管４６の途中に介装された液吸上げポンプ４７とから形成されている。より詳しくは、液供給管４６は、その上端部から流出する液体Ｑが液体ガイド部４１の液体通し路４２の長手方向（円周方向）に沿って流れるように配置されている。したがって、このポンプ４７を駆動すると、容器１１内の泡発生用液体Ｑが液供給管４６の下端部から吸上げられ当該管４６の上端部から液体ガイド部４１の液体通し路４２に流出される。
【００２９】
次に、本消泡装置の作用について説明する。
【００３０】
液体供給部４５の液吸上げポンプ４７を駆動することにより液供給管４６の下端部から吸上げられた泡形成用液体Ｑは、当該管４６の上端部から液体ガイド部４１の液体通し路４２上に流出される。すると、流出液体Ｑは、図４（Ａ），（Ｂ）および図５に示すように、遠心力の作用によって当該通し路４２に沿って流れる。そして、液体Ｑは、遠心力の作用が弱まった部分から流体通し路４２から外れて消泡用筒体３０の内面３１へ入り込み当該内面３１を伝って下方へ流れる。かかる液体Ｑの消泡用筒体内面３１への入り込みは当該内面３１上部の全域で発生する。この際、消泡用筒体内面３１を伝って下方へ流れる液体Ｑは、当該内面３１上をゆっくりと静かに流れることになるが、当該内面３１の傾斜面状部分で更に減速されることになる。したがって、消泡用筒体３０の内面３１を伝って流下してきた泡発生用液体Ｑは、容器１１内へ泡立つことなく静かに入ることになる。
【００３１】
こうして、新に泡を発生させることなく、消泡用筒体３０の内面３１に膜状の液体Ｑの流れが形成され、当該液体Ｑの流れが上記パイプ７１に保持された泡（ＢＬ）の塊と接触することになる。この液体Ｑの流れと接触した泡（ＢＬ）部分は、下方へ引っ張られて小さな塊に分断されるとともに当該液体Ｑの流れの持つ運動エネルギによって壊されて（すなわち消泡されて）液体に戻る。したがって、手間を掛けることなく、飛翔性害虫駆除装置から発生された泡（ＢＬ）の量が多くても、当該泡（ＢＬ）が容器１１からはみ出すのを防止できる。また、消泡するための液体は、泡発生用の液体Ｑを使用するので、消泡専用の液体を別に用意する必要がなく経済的である。
【００３２】
而して、本消泡装置が、筒形状とされパイプ７１の下方部分の周囲を取り囲むようにかつ下部が容器１１内の泡発生用液体Ｑ中に浸漬するように配設された消泡用筒体３０を有し、この消泡用筒体３０の内面３１の一部または全体が開口面積が下方へ行くに連れて連続的に減少する傾斜面状に形成されるとともに、当該消泡用筒体３０の内面３１が滑らかに形成され、上記容器１１内の泡発生用液体Ｑを吸い上げ当該液体Ｑを消泡用筒体３０の内面３１の上部に当該内面３１を伝って流下するように供給する液体供給手段４０を設け、消泡用筒体内面３１に泡（ＢＬ）の塊と接触する膜状の液体Ｑの流れを形成可能に構成されているので、手間を掛けることなく飛翔性害虫駆除装置のパイプ７１に保持される泡（ＢＬ）の量が多くても当該泡（ＢＬ）が容器１１からはみ出すのを防止できる。
【００３３】
また、液体供給手段４０が、環状の液体通し路４２を有し当該液体通し路４２の内側端部４３が消泡用筒体３０の上縁部に接続されるとともに外側端部４４に起立壁が設けられた液体ガイド部４１と、この液体ガイド部４１の液体通し路４２に容器１１内から吸い上げた泡発生用液体Ｑを供給する液体供給部４５とから形成されているので、消泡用筒体内面３１に膜状の液体Ｑの流れが一段と確実に形成されることになり、手間を掛けることなく飛翔性害虫駆除装置から発生された泡（ＢＬ）の量が多くても当該泡（ＢＬ）が容器１１からはみ出すのを一層効果的に防止できる。
【００３４】
なお、図２に示すように、消泡用筒体３０と液体供給手段４０の液体ガイド部４１と起立壁（４９）とを一体に形成し、当該筒体３０を有底として飛翔性害虫駆除装置の容器１１を兼ねるように構成してもよい。
【００３５】
また、図６に示すように、液体ガイド部４１の液体通し路４２を内側端部４３が外側端部４４よりも若干高くなるように形成してもよい（傾斜角度θ）。これにより、液供給管４６の上端部から流出した液体Ｑを、液体ガイド部４１の液体通し路４２に沿って一段と円滑に流すことができる。
【００３６】
また、液体ガイド部４１の液体通し路４２と消泡用内面３１との上縁部とが交わる部分（４３）を円弧状に形成してもよい。
【００３７】
また、本消泡装置を図３に示す飛翔性害虫駆除装置に適用してもよい。この飛翔性害虫駆除装置は、泡流出口（Ｇ）がパイプ７１の上部全外周面７２ｓに沿って形成され、かつパイプ７１内に、下方から上昇してきた泡（ＢＬ）ＢＬの圧力を受けて縦軸線Ｙを中心として回転し当該泡（ＢＬ）を当該泡流出口（Ｇ）の各部へ均等に案内するガイド球形部材８１を設けた構成とされている。具体的には、パイプ７１は有底とされており、上部７２は開口されている。このパイプ７１の上部７２には当該上部外径よりも大きい内径を有するキャップ９１が載せられている。キャップ９１は、その底部９２が下方へ向けて凸形状となるように形成されている。
【００３８】
パイプ７１の底部７３には台座９５が載置されており、台座９５上には泡発生手段２１のエアストーン２６が載せられている。なお、パイプ７１の底部と容器１１の底部との間には、桁部材９９によって隙間が形成されている。ガイド球形部材８１は、球面形状とされており、パイプ７１内を上昇してきた泡ＢＬの圧力を受けて上方へ移動して最頂部がキャップ９１の底部９２の最低部と当接して当該キャップ９１を押し上げ、その状態で縦軸線を中心として回転可能に形成されている。詳しくは、ガイド球形部材８１は、ピンポン玉から形成されている。なお、キャップ９１は、ガイド球形部材８１によって押し上げられると、パイプ７１の上部７２外周面との間に所定寸法（例えば、３〜５ｍｍ）の隙間Ｇが形成される位置に保持される。この隙間Ｇが泡流出口を形成することになる。
【００３９】
かかる構成の飛翔性害虫駆除装置の場合、パイプ７１内で発生された大量の泡（ＢＬ）は、ガイド球形部材８１によって泡流出口（Ｇ）の各部へ均等に案内される。したがって、泡ＢＬをパイプ７１の縦軸線を中心として略対称となるように当該パイプ７１に保持できる（例えば、泡（ＢＬ）をパイプ７１に外形が提灯形状となるように保持できる。）。したがって、大量の泡（ＢＬ）を一段と安定した状態でパイプ７１に長時間にわたって保持できる。
【００４０】
【発明の効果】
請求項１の発明によれば、筒形状とされパイプの下方部分の周囲を取り囲むようにかつ下部が飛翔性害虫駆除装置の容器内の泡発生用液体中に浸漬するように配設された消泡用筒体を有し、この消泡用筒体の内面の一部または全体が開口面積が下方へ行くに連れて連続的に減少する傾斜面状に形成されるとともに、当該消泡用筒体の内面が滑らかに形成され、上記容器内の泡発生用液体を吸い上げ当該液体を消泡用筒体の内面の上部に当該内面を伝って流下するように供給する液体供給手段を設け、消泡用筒体の内面に泡の塊と接触する膜状の液体の流れを形成可能に構成されているので、手間を掛けることなく飛翔性害虫駆除装置のパイプに保持される泡の量が多くても当該泡が容器からはみ出すのを防止できる。
【００４１】
請求項２の発明によれば、液体供給手段が、環状の液体通し路を有し当該液体通し路の内側端部が消泡用筒体の上縁部に接続されるとともに外側端部に起立壁が設けられた液体ガイド部と、この液体ガイド部の液体通し路に前記容器内から吸い上げた泡発生用液体を当該通し路に沿って流れるように供給する液体供給部とから形成されているので、簡単な構成で消泡用筒体の内面に膜状の液体の流れが確実に形成されることになり、手間を掛けることなく飛翔性害虫駆除装置のパイプに保持される泡の量が多くなっても当該泡が容器からはみ出すのを一層効果的に防止できる。
【００４２】
請求項３の発明によれば、消泡用筒体と液体供給手段の液体ガイド部とが飛翔性害虫駆除装置の容器と一体的に形成されているので、請求項２記載の発明の場合と同様な効果を奏し得る他、構成を一段と簡素化できる。
【図面の簡単な説明】
【図１】本発明の実施の形態を説明するための図である。
【図２】本発明に係る消泡装置を飛翔性害虫駆除装置と一体的に設けた変形例を示す図である。
【図３】本消泡装置がガイド球形部材を備えた飛翔性害虫駆除装置に適用された図である。
【図４】本消泡装置の要部を説明するための図である。
【図５】動作を説明するための図である。
【図６】液体供給手段の変形例（１）を説明するための図である。
【図７】液体供給手段の変形例（２）を説明するための図である。
【図８】従来の飛翔性害虫駆除装置を説明するための図である。
【符号の説明】
１１  飛翔性害虫駆除装置の容器
７１  飛翔性害虫駆除装置のパイプ
３０  消泡用筒体
３１  内面
４０  液体供給手段
４１  液体ガイド部
４２  液体通し路
４３  内側端部
４４  外側端部
４５  液体供給部
４６  液供給管
４７  液吸上げポンプ
【図１】
2004159533.tif 000003
【図２】
2004159533.tif 000004
【図３】
2004159533.tif 000005
【図４】
2004159533.tif 000006
【図５】
2004159533.tif 000007
【図６】
2004159533.tif 000008
【図７】
2004159533.tif 000009
【図８】
2004159533.tif 000010